(57)【要約】    【課題】デジタルカメラ等において、ユーザの入力動作を少なく抑えつつ、撮影画像に対してユーザが意図したグループ分けやグループの代表画像を指定することができ、効率的にユーザ所望の画像を検索する。    【解決手段】  新規にグループを作成するに際し、ユーザが操作部１３６上の画面においてグループのカテゴリを指定することにより、グループ情報生成部１４０は、文字列記憶部１４８に予め記憶された、前記カテゴリに対応する文字列を出力し、さらに日付情報器１４６を用いて現在の日付情報を取得し、得られた文字列と日付情報を組み合わせて、グループを識別するためのグループ情報を自動的に作成する。また、ユーザの指示に従って作成されたグループ情報と属性情報とから成る画像付属情報を撮影画像に付加してメモリカードに記憶するようにしたので、撮影画像のグループ分けをユーザの意図したように行うことができる。【選択図】        図４
2007019988.tif 000002
【特許請求の範囲】
【請求項１】
画像を記録する画像記録装置において、
前記画像を識別するための第１の識別情報を作成する作成手段と、
前記第１の識別情報に関連する第２の識別情報を判定する判定手段と、
前記作成手段と前記判定手段の処理結果に基づいて、前記第１の識別情報、又は前記第１と第２の識別情報から成る画像付属情報を前記画像に関連付けて記録媒体に記録する記録手段とを備えたことを特徴とする画像記録装置。
【請求項２】
前記第１の識別情報と前記第２の識別情報とを、接続合成した文字列情報を生成する生成手段を有し、前記記録手段は、前記生成手段で生成された文字列情報を前記画像に関連づけて記録媒体に記録することを特徴とする請求項１に記載の画像記録装置。
【請求項３】
前記作成手段は、
予約語或いは予約記号が記憶された記憶部を有し、少なくとも前記予約語或いは予約記号を用いて前記第１の識別情報を生成したことを特徴とする請求項１又は２に記載の画像記録装置。
【請求項４】
前記判定手段は、前記第１の識別情報と従属関係を有する第２の識別情報を判定する手段であり、
前記画像付属情報は、前記第１の識別情報と前記第２の識別情報との間に従属関係がある場合に、該第１と第２の識別情報とを、記号を含む接続手段で接続合成した情報であることを特徴とする請求項１乃至３の何れかに記載の画像記録装置。
【請求項５】
前記判定手段は、前記第１と第２の識別情報間の従属関係の可否を予め記憶しておく記憶部を有し、該記憶部を用いて判定処理を行うことを特徴とする請求項４に記載の画像記録装置。
【請求項６】
前記作成手段と前記判定手段は、操作者による指示情報に基づいて処理を行う構成としたことを特徴とする請求項１乃至５の何れかに記載の画像記録装置。
【請求項７】
画像を識別するための第１の識別情報を含む画像付属情報が関連付けられた画像を再生する画像再生装置において、
前記画像付属情報を検出する検出手段と、
前記検出された画像付属情報を構成する前記第１の識別情報と該第１の識別情報に接続合成された第２の識別情報との関係を判定する判定手段と、
前記判定手段の判定結果に従い、前記画像付属情報に基づいて画像を再生する再生手段とを備えたことを特徴とする画像再生装置。
【請求項８】
前記判定手段は、
前記接続合成された第１と第２の識別情報を分割して複数の識別情報間の従属関係を判定することを特徴とする請求項７に記載の画像記録装置。
【請求項９】
前記再生手段は、
前記判定手段により従属関係が判定された画像付属情報の階層構造を用いて、特定の階層の識別情報が関連付けられた画像のみを再生することを特徴とする請求項８に記載の画像再生装置。
【請求項１０】
請求項１乃至６の何れかに記載の画像記録装置と、請求項７乃至９の何れかに記載の画像再生装置とを備えたことを特徴とする画像記録再生装置。
【請求項１１】
請求項１乃至６の何れかに記載の画像記録装置と、請求項７乃至９の何れかに記載の画像再生装置とのそれぞれに無線通信手段を備えた無線通信システムであって、
前記画像記録装置が有する前記作成手段及び前記記録手段を前記画像再生装置側で操作して画像の記録を行う手段と、
前記画像再生装置が有する前記再生手段を前記画像記録装置側で操作して画像の再生する手段とを備えたことを特徴とする無線通信システム。
【請求項１２】
画像を記録する画像記録方法において、
前記画像を識別するための第１の識別情報を作成する作成工程と、
前記第１の識別情報に関連する第２の識別情報を判定する判定工程と、
前記作成工程と前記判定工程の処理結果に基づいて、前記第１の識別情報、又は前記第１と第２の識別情報から成る画像付属情報を前記画像に関連付けて記録媒体に記録する記録工程とを実行することを特徴とする画像記録方法。
【請求項１３】
画像を識別するための第１の識別情報を含む画像付属情報が関連付けられた画像を再生する画像再生方法において、
前記画像付属情報を検出する検出工程と、
前記検出された画像付属情報を構成する前記第１の識別情報と該第１の識別情報に接続合成された第２の識別情報との関係を判定する判定工程と、
前記判定工程の判定結果に従い、前記画像付属情報に基づいて画像を再生する再生工程とを実行することを特徴とする画像再生方法。
【請求項１４】
画像を記録する画像記録装置の制御方法を実行するための、コンピュータで読み取り可能な制御プログラムであって、
前記画像を識別するための第１の識別情報を作成する作成ステップと、
前記第１の識別情報に関連する第２の識別情報を判定する判定ステップと、
前記作成ステップと前記判定ステップの処理結果に基づいて、前記第１の識別情報、又は前記第１と第２の識別情報から成る画像付属情報を前記画像に関連付けて記録媒体に記録する記録ステップとを備えたことを特徴とする制御プログラム。
【請求項１５】
画像を識別するための第１の識別情報を含む画像付属情報が関連付けられた画像を再生する画像再生装置の制御プログラムであって、
前記画像付属情報を検出する検出ステップと、
前記検出された画像付属情報を構成する前記第１の識別情報と該第１の識別情報に接続合成された第２の識別情報との関係を判定する判定ステップと、
前記判定ステップの判定結果に従い、前記画像付属情報に基づいて画像を再生する再生ステップとを備えたことを特徴とする制御プログラム。
【発明の詳細な説明】
【技術分野】
【０００１】
本発明は、撮影した画像を記録するデジタルカメラ等の画像記録装置及びその画像記録方法、前記画像を再生する画像再生装置及び画像再生方法、前記画像記録装置と前記画像再生装置とを備えた画像記録再生装置、前記画像記録装置と前記画像再生装置にそれぞれ無線通信機能を備えた無線通信システム、並びに前記画像記録方法及び前記画像再生方法を実現するための制御プログラムに関する。
【背景技術】
【０００２】
近年、デジタルカメラ等の画像記録装置の機能向上は目覚しいものがあり、メモリカードの交換なしに高品位の画像を数百枚撮影し、保存することができるに至った。その様な技術の発展に伴い、多数の画像を保存したメモリカードから効率的に所望の画像を検索する技術が、種々提案されている（例えば、特許文献１及び特許文献２）。
【０００３】
例えば、特許文献１の技術では、グループ内容を想起し易いグループ名をユーザが自由に設定し、そのグループ名と画像データとを関連付けて記録することが可能である。また、特許文献２の技術では、日時情報或いは位置情報を基準にして撮影画像のグループ分けを自動的に行うものである。
【特許文献１】特許第３１３５６０２号公報
【特許文献２】特開２００１−２２８５２８号公報
【発明の開示】
【発明が解決しようとする課題】
【０００４】
しかしながら、上記特許文献１の技術では、新規にグループを作成する場合に、グループ名の設定などで文字入力等のユーザ入力操作が多くなるという問題があった。さらに、グループを代表する画像データを指定する機能を備えていないため、ユーザが所望する画像を効率的に検索するという観点から問題があった。
【０００５】
また、特許文献２の技術では、ユーザの入力動作は少なく済むが、日時情報或いは位置情報のみを基準にして撮影画像のグループ分けを自動生成するため、ユーザの期待するグループ分けが成されるかは保証されないという問題がある。
【０００６】
本発明は上記従来の問題点に鑑み、ユーザの入力動作を少なく抑えつつ、撮影画像に対してユーザが意図したグループ分けやグループの代表画像を指定することができ、効率的にユーザ所望の画像を検索することができる画像記録装置、画像再生装置、画像記録再生装置、無線通信システム、画像記録方法、画像再生方法、及び制御プログラムを提供することを目的とする。
【課題を解決するための手段】
【０００７】
本発明は上記目的を達成するため、画像を記録する画像記録装置において、前記画像を識別するための第１の識別情報を作成する作成手段と、前記第１の識別情報に関連する第２の識別情報を判定する判定手段と、前記作成手段と前記判定手段の処理結果に基づいて、前記第１の識別情報、又は前記第１と第２の識別情報から成る画像付属情報を前記画像に関連付けて記録媒体に記録する記録手段とを備えたことを特徴とする。
【０００８】
また、本発明は、画像を識別するための第１の識別情報を含む画像付属情報が関連付けられた画像を再生する画像再生装置において、前記画像付属情報を検出する検出手段と、前記検出された画像付属情報を構成する前記第１の識別情報と該第１の識別情報に接続合成された第２の識別情報との関係を判定する判定手段と、前記判定手段の判定結果に従い、前記画像付属情報に基づいて画像を再生する再生手段とを備えたことを特徴とする。
【０００９】
また、本発明は、請求項１乃至６の何れかに記載の画像記録装置と、請求項７乃至９の何れかに記載の画像再生装置とを備えたことを特徴とする。
【００１０】
また、本発明は、請求項１乃至６の何れかに記載の画像記録装置と、請求項７乃至９の何れかに記載の画像再生装置とのそれぞれに無線通信手段を備えた無線通信システムであって、前記画像記録装置が有する前記作成手段及び前記記録手段を前記画像再生装置側で操作して画像の記録を行う手段と、前記画像再生装置が有する前記再生手段を前記画像記録装置側で操作して画像の再生する手段とを備えたことを特徴とする。
【００１１】
また、本発明は、画像を記録する画像記録方法において、前記画像を識別するための第１の識別情報を作成する作成工程と、前記第１の識別情報に関連する第２の識別情報を判定する判定工程と、前記作成工程と前記判定工程の処理結果に基づいて、前記第１の識別情報、又は前記第１と第２の識別情報から成る画像付属情報を前記画像に関連付けて記録媒体に記録する記録工程とを実行することを特徴とする。
【００１２】
また、本発明は、画像を識別するための第１の識別情報を含む画像付属情報が関連付けられた画像を再生する画像再生方法において、前記画像付属情報を検出する検出工程と、前記検出された画像付属情報を構成する前記第１の識別情報と該第１の識別情報に接続合成された第２の識別情報との関係を判定する判定工程と、前記判定工程の判定結果に従い、前記画像付属情報に基づいて画像を再生する再生工程とを実行することを特徴とする。
【００１３】
また、本発明は、画像を記録する画像記録装置の制御方法を実行するための、コンピュータで読み取り可能な制御プログラムであって、前記画像を識別するための第１の識別情報を作成する作成ステップと、前記第１の識別情報に関連する第２の識別情報を判定する判定ステップと、前記作成ステップと前記判定ステップの処理結果に基づいて、前記第１の識別情報、又は前記第１と第２の識別情報から成る画像付属情報を前記画像に関連付けて記録媒体に記録する記録ステップとを備えたことを特徴とする。
【００１４】
また、本発明は、画像を識別するための第１の識別情報を含む画像付属情報が関連付けられた画像を再生する画像再生装置の制御プログラムであって、前記画像付属情報を検出する検出ステップと、前記検出された画像付属情報を構成する前記第１の識別情報と該第１の識別情報に接続合成された第２の識別情報との関係を判定する判定ステップと、前記判定ステップの判定結果に従い、前記画像付属情報に基づいて画像を再生する再生ステップとを備えたことを特徴とする。
【発明の効果】
【００１５】
本発明は、ユーザの入力動作を少なく抑えつつ、画像に対してユーザが意図したグループ分けやグループの代表画像を指定することができ、効率的にユーザ所望の画像を検索することが可能になる。
【００１６】
また、１画像について複数の識別情報をパラレルに関連づけた場合に、多くの関連情報を表示しようとすると、メモリへのアクセスが多くなる。そして、読み込んだ複数の識別情報を表示するためには、その並び方等を再構築する手間もある。これに対して、本発明によれば、複数の識別情報を接続して、もともと１つの文字列情報として記録するので、表示する際に、その文字列情報をリストとして出すだけで、複数種類の識別情報を認識することができる。さらに、表示のために並び方の再構築の手間も省くことが可能になる。
【発明を実施するための最良の形態】
【００１７】
本発明の画像記録装置、画像再生装置、画像記録再生装置、無線通信システム、画像記録方法、画像再生方法、及び制御プログラムを提供するの実施の形態について、図面を参照しながら説明する。
【００１８】
＜本実施の形態に係るデジタルカメラの構成＞
図１は、本発明の実施の形態に係るデジタルカメラの構成を示すブロック図である。
【００１９】
図中の１０は撮影レンズ、１２はシャッタ、１４は光学像を電気信号に変換する撮像素子、１６は撮像素子１４の出力にγ補正、色バランス調節、輝度／色差変換などの周知のカメラ信号処理を行うプロセス回路、１８はプロセス回路１６のアナログ出力をデジタル信号に変換するＡ／Ｄ変換回路である。
【００２０】
１２０は中間メモリ手段としてのフレームメモリであり、１２２は撮影画像データをＪＰＥＧ等の圧縮及び伸張を行う圧縮伸張回路、１２４はメモリカードとのインタフェース、１２６は撮影画像データを記録するメモリカード、１２８は画像データを外部の例えばコンピュータにデジタル出力するためのインタフェースである。
【００２１】
１３０はデジタル信号をアナログ出力に変換するＤ／Ａ変換回路であり、１３２は液晶ディスプレイ等で構成された表示部である。１３４は各種モードスイッチ等で構成される操作部である。１３８はフレームメモリ１２０の書き込み及び読み出し、及びインタフェース１２４及び１２８を介した画像データ入出力、及びＤ／Ａ変換回路１３０を介した表示部１３２への出力を制御するメモリ制御回路である。１３８は本デジタルカメラ全体を制御するシステム制御回路である。
【００２２】
１４０は、グループを識別してグループ分け行うためのグループ情報を作成するグループ情報作成部である。１４２はグループ情報判定部である。グループ情報判定部１４２は、画像記録時において、システム内で使用しているグループ情報が持つことができる属性を判定し属性情報として出力する。これらグループ情報と属性情報から、撮影した画像データに付加される画像付属情報が構成されている。つまり、画像付属情報は、グループ情報や属性情報などの各識別情報が従属関係を持ち階層的に接続合成されて成る。
【００２３】
１４４は記録／検出部であって、画像データと画像付属情報を関連付けてメモリカード１２６に記録し、さらに既にメモリカード１２６に記憶されている画像データと画像付属情報を検出する。
【００２４】
さらに、グループ情報作成部１４０は、記録／検出部１４４により検出された既にメモリカード１２６に記憶されている全てのグループ情報と異なるグループ情報を作成し、このグループ情報とこれに従属する属性情報とを予約記号（例えばアンダーバー「＿」）で接続合成する。また、グループ情報判定部１４２は、再生時において、予約記号等でグループ情報に接続合成された画像付属情報を分割することにより、これらの従属関係を解析する。１４５は、撮影した画像データ等を無線で携帯電話等の無線機器に送信するための無線通信部である。
【００２５】
図２（ａ），（ｂ），（ｃ）は、本実施の形態の特徴部分の具体的な構成を示すブロック図であり、同図（ａ）は図１中のグループ情報作成部１４０の一構成例、同図（ｂ）はグループ情報作成部１４０の他の構成例、同図（ｃ）は図１中のグループ情報判定部１４２の構成例を示している。
【００２６】
図１中のグループ情報作成部１４０は、図２（ａ）に示すように、例えば日付情報器１４６と文字列記憶部１４８で構成されている。日付情報器１４６は、新規のグループ作成を要求する制御信号が与えられた場合に、その時点の日付情報（例えば、２００１年９月２２日の１１時５５分に相当する「２００１０９２２１１５５」）を出力するものである。文字列記憶部１４８は、特定のカテゴリを要求する制御信号に応じて、予め記憶されたカテゴリに対応する文字列の何れかを選択し出力するものであり、例えばＳｃｅｎｅ、Ｕｓｅｒ、Ｐｒｉｎｔ、Ｍａｉｌ、Ｆａｖｏｒｉｔｅ等の文字列が記憶されている。
【００２７】
そして、グループ情報作成部１４０は、日付情報器１４６と文字列記憶部１４８の組み合わせにより、例えば、「Ｓｃｅｎｅ２００１０９２２１１５５」等のグループ情報を作成する。ここで、日付情報器１４６と文字列記憶部１４８に供給される制御信号は、ユーザが操作部１３６を用いて指定することによりシステム制御部１３８で生成され、その具体的な値は一意であればどのような値であっても良い。
【００２８】
例えば、新規のグループ作成を要求する制御信号として、新規のグループ＝０、既存のグループ＝１とし、特定のカテゴリを要求する制御信号として、Ｓｃｅｎｅ＝０、Ｕｓｅｒ＝１とした場合に、ユーザが新規のグループ作成時にカテゴリとして「Ｓｃｅｎｅ」を指定すると（後述する図６（ａ），（ｂ）の画面例を参照）、「０，０」という２バイトの制御信号が生成されることになる。
【００２９】
図１中のグループ情報作成部１４０の他の構成例としては、例えば図２（ｂ）に示すような構成がある。このグループ情報作成部１４０は、計数器２４６と文字列記憶部１４８とで構成されている。計数器２４６は、新規のグループ作成を要求する制御信号が与えられた場合に、既存のグループ情報とは異なるよう番号付けする。グループ情報作成部１４０は、日付情報器１４６と文字列記憶部１４８との組み合わせにより、例えば、「Ｓｃｅｎｅ００１」、「Ｓｃｅｎｅ００２」等のグループ情報を作成する。
【００３０】
なお、グループ情報作成部１４０において、計数器２４６や日付情報器１４６に代えて、乱数器やＧＰＳ等の位置情報器を設け、これらから得られる情報によりグループ情報を作成しても良いし、計数器２４６、日付情報器１４６、乱数器、及び位置情報器等のそれぞれから得られる情報を組み合わせて、グループ情報を作成しても良い。
【００３１】
また、図１中のグループ情報判定部１４２は、図２（ｃ）に示すように、判定器１５０と属性記憶部１５２で構成されている。判定器１５０は、例えばグループ情報Ｓｃｅｎｅが与えられた場合に、Ｓｃｅｎｅというグループ情報が有することのできる属性情報を属性情報記憶部１５２に問い合わせる機能を有する。属性記憶部１５２は、画像付属情報の基本であるグループ情報が有することのできる属性情報を記憶しておくためのデータベースであり、予約記号等で接続合成されていない識別情報間の従属関係の可否を予め記憶しておくものである。
【００３２】
図３は、図１中のデジタルカメラにおける操作部側外観図である。
【００３３】
本実施の形態に係るデジタルカメラは、機器本体５０の操作部側に、液晶表示パネル５１と、メニューボタン５２と、決定ボタン５３と、方向ボタン５４を配置している。メニューボタン５２、決定ボタン５３、及び方向ボタン５４は、操作部１３６の一部を構成するものである。また、図中の５５は、無線通信を行う際に使用するアンテナである。
【００３４】
＜新規グループの作成処理＞
次に、上記構成のデジタルカメラに係る新規のグループ作成処理について、図４、図５及び図６を参照して説明する。
【００３５】
図４は、本実施の形態に係るデジタルカメラに係る新規のグループ作成処理を示すフローチャートであり、図５及び図６は、グループ作成処理時に表示パネルに表示される画面例を示す表示画面図である。本処理に関する制御プログラムは、例えばシステム制御部１３８内のＲＯＭに格納され、システム制御部１３８内のＣＰＵによって実行される。
【００３６】
まず、メニューボタン５２を用いて図５に示すような操作メニュー画面６１を表示パネル５１に表示し（図４のステップＳ１１）、この操作メニュー画面６１内に表示された操作メニューのうち「グループ作成メニュー」６１ａを選択すべく、方向ボタン５４を用いてカーソル６１ｂを移動する。
【００３７】
次に、決定ボタン５３を押下すると（ステップＳ１２）、新規のグループ作成を要求する制御信号と共に特定のカテゴリを要求する制御信号がシステム制御部１３８で生成されて出力される（ステップＳ１３）。これによって、表示パネル５１には、図６（ａ）に示すようなグループ作成画面７１が表示される（ステップＳ１４）。グループ作成画面７１において、図６（ａ）の例では、作成するグループのカテゴリとして、「Ｓｃｅｎｅ（場面ごとに）」７１ａと「Ｕｓｅｒ（ユーザごとに）」７１ｂの２つのカテゴリが表示されている。ここで、ユーザは、方向ボタン５４を用いて所望のカテゴリ、例えば「Ｓｃｅｎｅ（場面ごとに）」７１ａを選択する（ステップＳ１５）。
【００３８】
その結果、グループ情報生成部１４０では、例えば前述した「Ｓｃｅｎｅ２００１０９２２１１５５」といったグループ情報を生成する（ステップＳ１６）。そして、表示画面が図６（ｂ）に示すような画面７２に遷移し、この画面７２には、「Ｓｃｅｎｅ２００１０９２２１１５５」グループを作成する旨のメッセージと「決定／戻る」の選択エリアから成る確認メッセージ７１ｃが表示される（ステップＳ１７）。このとき、ユーザが「決定」を選択して決定ボタン５３を押下すると（ステップＳ１８）、作成されたグループ情報は、画像付属情報としてメモリカード１２６内に一旦記憶される（ステップＳ１９）。
【００３９】
その後、撮影が行われると（ステップＳ２０）、その撮影画像に、前記作成されたグループ情報が付加されてメモリカード１２６に記憶され（ステップＳ２１）、本処理が終了する。
【００４０】
なお、ステップＳ１８で「戻る」が選択されると、画面は前画面７１に戻る。
【００４１】
＜属性情報の登録＞
次に、上述のようにして作成されたグループに属性情報を登録するための登録処理について、図７、図８及び図９を参照して説明する。図７は、本実施の形態に係る属性情報の登録処理を示すフローチャートであり、図８及び図９は、属性情報登録処理時に表示パネルに表示される画面例を示す表示画面図である。本処理に関する制御プログラムは、例えばシステム制御部１３８内のＲＯＭに格納され、システム制御部１３８内のＣＰＵによって実行される。
【００４２】
まず、表示パネル５１に撮影画像（図８（ａ）参照）を表示中に、ユーザがメニューボタン５２を用いて再生メニュー画面７３（図８（ｂ）参照）を表示する（ステップＳ３１）。次に、方向ボタン５４を用いてカーソル７３ａを「グループ登録」メニュー７３ｂまで移動し、決定ボタン５３を押下すると（ステップＳ３２）、「グループ登録メニュー」画面８１が表示される。
【００４３】
この「グループ登録メニュー」画面８１には、図９（ａ）に示すように、グループのカテゴリとして、「Ｓｃｅｎｅ（場面ごとに）」８１ａ、「Ｐｒｉｎｔ（印刷用に）」８１ｃ、「Ｍａｉｌ（メール添付用に）」８１ｄ、「Ｆａｖｏｒｉｔｅ（お気に入りに）」８１ｅ、及び「Ｕｓｅｒ（ユーザごとに）」８１ｆが表示されている。ここで、例えば、「Ｓｃｅｎｅ（場面ごとに）」８１ａにカーソル７３ａを合わせて選択すると（ステップＳ３４）、既に作成されているグループ「２００１年９月２２日１１：５５〜」８１ｂが登録可能なグループとして表示される（ステップＳ３５）。
【００４４】
ユーザがグループ「２００１年９月２２日１１：５５〜」８１ｂにカーソル７３ａを移動し、決定ボタン５３を押下すると（ステップＳ３６）、「Ｓｃｅｎｅ（場面ごとに）」を示す値（例えば０）と、属性情報の問い合わせの制御信号とがシステム制御部１３８で生成され（ステップＳ３７）、グループ情報生成部１４０へ出力される。グループ情報判定部１４２の判定部１５０では、「Ｓｃｅｎｅ（場面ごとに）」は例えば「Ｉｎｄｅｘ（見出し）」という属性を持つことを判定し出力する（ステップＳ３８）。この属性は、前述したように属性記憶部１５２に記憶されている。
【００４５】
その後、グループ情報判定部１４２の判定結果に基づいた処理として（ステップＳ３９）、本例では、次のような処理を行う。即ち、図９（ｂ）に示すように、再生中の撮影画像（Ｉｍｇ＿０００３．ｊｐｇ）を見出し画像（グループを代表する画像）にするかを確認するための確認メッセージ画面が表示される。即ち、記録／検出部１４４より検出されてグループ情報判定部１４２により従属関係が明らかになった画像付属情報の階層構造を利用し、特定の階層の識別情報「Ｉｎｄｅｘ」が関連付けられた画像のみを表示するものである。
【００４６】
この画面で「はい」を選択すると、グループ情報「Ｓｃｅｎｅ２００１０９２２１１５５」に属性情報「Ｉｎｄｅｘ」が予約符号「＿」によって接続合成された画像付属情報「Ｓｃｅｎｅ２００１０９２２１１５５＿Ｉｎｄｅｘ」が、撮影画像（Ｉｍｇ＿０００３．ｊｐｇ）に関連付けられてメモリカード１２６に記憶される。一方、図９（ｂ）の画面で「いいえ」を選択すると、属性情報「Ｉｎｄｅｘ」が接続合成されずに、画像付属情報「Ｓｃｅｎｅ２００１０９２２１１５５」が、撮影画像（Ｉｍｇ＿０００３．ｊｐｇ）に関連付けられてメモリカード１２６に記憶される。
【００４７】
図１０は、本実施の形態に係るデジタルカメラの各撮影画像に関連付けられた画像付属情報の例を示す図である。
【００４８】
Ｔ１の時点で、ユーザは、「Ｓｃｅｎｅ（場面ごとに）」の「２００１年９月２２日１１：５５」というグループを作成し、このグループに撮影画像（Ｉｍｇ＿０００３．ｊｐｇ）を指定し、さらに同グループに、連続して撮影画像（Ｉｍｇ＿０００１．ｊｐｇ）、（Ｉｍｇ＿０００２．ｊｐｇ）、（Ｉｍｇ＿０００３．ｊｐｇ）、（Ｉｍｇ＿０００４．ｊｐｇ）、（Ｉｍｇ＿０００５．ｊｐｇ）を指定している。撮影画像（Ｉｍｇ＿０００３．ｊｐｇ）では、見出し画像（Ｉｎｄｅｘ）とメール予定（Ｍａｉｌ）に属し、撮影画像（Ｉｍｇ＿０００４．ｊｐｇ）ではプリント予定（Ｐｒｉｎｔ）に属していることが記録されている。そして、Ｔ２の時点で、ユーザは新たにグループを作成していることが、図１０の画像付属情報例から分かる。
【００４９】
＜閲覧再生時の処理＞
以下、本実施の形態に係るデジタルカメラにおける撮影画像の閲覧再生時の処理（Ａ），（Ｂ）について、図１１、図１２、及び図１３を参照しつつ説明する。なお、この処理では、メモリカード１２６内に記憶されている撮影画像を、上記デジタルカメラの表示パネルに表示する場合、及び携帯電話の表示パネルに表示する場合を想定している。
【００５０】
図１１は、本実施の形態に係るデジタルカメラにおいて撮影画像の閲覧再生時の処理を示すフローチャートである。図１２（ａ），（ｂ），（ｃ）は、デジタルカメラのメモリカード１２６内に記憶されている撮影画像を携帯電話の表示パネルに表示する場合を示す図であり、同図（ａ）はその概念図、同図（ｂ），（ｃ）はその表示画面例を示す画面図である。図１３（ａ），（ｂ）は、デジタルカメラのメモリカード１２６内に記憶されている撮影画像を携帯電話の表示パネルに表示する場合の表示画面例を示す画面図である。
【００５１】
本処理に関する制御プログラムは、例えばシステム制御部１３８内のＲＯＭに格納され、システム制御部１３８内のＣＰＵによって実行される。
【００５２】
まず、上記デジタルカメラ５０で表示する場合は再生モードにし、携帯電話９０に表示する場合は、デジタルカメラ５０と携帯電話９０とを無線接続して（図１２（ａ）参照）、デジタルカメラ５０の撮影画像の閲覧動作を開始する（ステップＳ５０）。
【００５３】
次に、メモリカード１２６内のファイルリストを取得し（ステップＳ５１）、画像付属情報が有るか否かを判定する（ステップＳ５２）。画像付属情報がない場合には、携帯電話９０の表示パネル９１（デジタルカメラ５０の場合は表示パネル５１）に表示可能な数のサムネイル画像を取得して表示する（ステップＳ５９）。画像付属情報がある場合には、画像付属情報ファイルを取得して（ステップＳ５３）、グループと属性を解析する（ステップＳ５４）。
【００５４】
その後、例えば図１２（ｂ）に示すような、画像の表示方法を選択するための画面が表示され（ステップＳ５５）、ユーザはこの画面において、画像の表示方法として、グループ表示９１ａ或いは見出し表示９１ｂなどを選択する（ステップＳ５６）。図１２（ｂ）の画面例においては、見出し表示９１ｂが選択されている。そして、この画面において「決定」を選択すると、画像付属情報の検索が開始される（ステップＳ５７）。その結果、選択された見出し表示９１ｂに対応する画像のみサムネイルが取得され、例えば図１２（ｃ）の画面のように、取得したサムネイル９２ａ，９２ｂが携帯電話９０の表示パネル９１（デジタルカメラ５０の場合は表示パネル５１）に表示される（ステップＳ５８）。
【００５５】
上記では見出し表示９１ｂを選択した例について説明したが、次にグループ表示を選択する例について、図１３（ａ），（ｂ）を参照して説明する。
【００５６】
図１１のステップＳ５１からステップＳ５４までの処理を経て、ステップＳ５５では、画像の表示方法を選択するための画面として、図１３（ａ）に示すような画面が表示される。この画面において、ユーザは、画像の表示方法として、グループ表示９１ａの欄の例えばグループ「Ｓｃｅｎｅ２００１０９２２１１５５」を選択している（ステップＳ５６）。
【００５７】
この画面において「決定」を選択すると、画像付属情報の検索が開始される（ステップＳ５７）。その結果、選択されたグループに対応する画像のみサムネイルが取得される。そして、例えば図１３（ｂ）の画面のように、取得したサムネイル９３が携帯電話９０の表示パネル９１（デジタルカメラ５０の場合は表示パネル５１）に表示される（ステップＳ５８）。このとき、選択したグループに見出し画像の属性があれば、この見出し画像を最初の表示とする。
【００５８】
なお、上記では、無線通信部を利用して、デジタルカメラの機能を携帯電話側で操作して画像再生する構成を説明したが、携帯電話の具備する機能をデジタルカメラ側で操作して画像記録することも可能である。
【００５９】
＜本実施の形態の利点＞
本実施の形態によれば、撮影画像のグループ分けを行うため、新規にグループを作成するに際し、ユーザが操作部１３６上の画面においてグループのカテゴリを指定することにより（図４のステップＳ１４、ステップＳ１５）、グループ情報生成部１４０は、文字列記憶部１４８に予め記憶された、前記カテゴリに対応する文字列を出力し、さらに日付情報器１４６を用いて現在の日付情報を取得し、得られた文字列と日付情報を組み合わせて、グループを識別するためのグループ情報を自動的に作成する（図４のステップＳ１６）。これにより、ユーザが新規にグループを作成する際に、グループ名の設定などで文字入力等のユーザ入力操作を少なく抑えることができる。
【００６０】
また、ユーザの指示に従って作成されたグループ情報と属性情報とから成る画像付属情報を撮影画像に付加してメモリカードに記憶するようにしたので（図４のステップＳ２１）、撮影画像のグループ分けをユーザの意図したように簡単に行うことができる。
【００６１】
さらに、グループを代表する画像（見出し画像）を指定する機能を備えるようにしたので、ユーザは、見出し画像を参照して、所望する画像を効率的に検索することが可能になる。
【００６２】
また、１画像について複数の識別情報をパラレルに関連づけると、多くの関連情報を表示しようとした場合にメモリへのアクセスが多くなる。そして、読み込んだ複数の識別情報を表示するためには、その並び方等を再構築する手間もある。これに対して、本実施の形態によれば、複数の識別情報を接続して、もともと１つの文字列情報として記録するので、表示する際に、その文字列情報をリストとして出すだけで、複数種類の識別情報を認識することができる。また、表示のために並び方の再構築の手間も省くことが可能になる。
【００６３】
なお、本発明の目的は、実施形態の機能を実現するソフトウェアのプログラムコードを記録した記憶媒体を、システム或いは装置に供給し、そのシステム或いは装置のコンピュータ（又はＣＰＵやＭＰＵ等）が記憶媒体に格納されたプログラムコードを読み出して実行することによっても達成される。
【００６４】
この場合、記憶媒体から読み出されたプログラムコード自体が前述した実施の形態の機能を実現することになり、そのプログラムコード及び該プログラムコードを記憶した記憶媒体は本発明を構成することになる。
【００６５】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしても良い。
【００６６】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【００６７】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれる。
【００６８】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【図面の簡単な説明】
【００６９】
【図１】実施の形態に係るデジタルカメラの構成を示すブロック図である。
【図２】実施の形態の特徴部分の具体的な構成を示すブロック図である。
【図３】図１中のデジタルカメラにおける操作部側外観図である。
【図４】実施の形態に係るデジタルカメラに係る新規のグループ作成処理を示すフローチャートである。
【図５】グループ作成処理時に表示パネルに表示される画面例を示す表示画面図である。
【図６】グループ作成処理時に表示パネルに表示される画面例を示す表示画面図である。
【図７】実施の形態に係る属性情報の登録処理を示すフローチャートである。
【図８】属性情報登録処理時に表示パネルに表示される画面例を示す表示画面図である。
【図９】属性情報登録処理時に表示パネルに表示される画面例を示す表示画面図である。
【図１０】実施の形態に係るデジタルカメラの各撮影画像に関連付けられた画像付属情報の例を示す図である。
【図１１】実施の形態に係るデジタルカメラにおいて撮影画像の閲覧再生時の処理を示すフローチャートである。
【図１２】デジタルカメラのメモリカード内に記憶されている撮影画像を携帯電話の表示パネルに表示する場合を示す図である。
【図１３】デジタルカメラのメモリカード内に記憶されている撮影画像を携帯電話の表示パネルに表示する場合の表示画面例を示す画面図である。
【符号の説明】
【００７０】
１２６  メモリカード
１３６  操作部
１３８  システム制御部
１４０  グループ情報生成部
１４２  グループ情報判定部
１４４  記録／検出部
１４５  無線通信部
【図１】
2007019988.tif 000003
【図２】
2007019988.tif 000004
【図３】
2007019988.tif 000005
【図４】
2007019988.tif 000006
【図５】
2007019988.tif 000007
【図６】
2007019988.tif 000008
【図７】
2007019988.tif 000009
【図８】
2007019988.tif 000010
【図９】
2007019988.tif 000011
【図１０】
2007019988.tif 000012
【図１１】
2007019988.tif 000013
【図１２】
2007019988.tif 000014
【図１３】
2007019988.tif 000015